【手続補正書】
【提出日】平成16年3月1日(2004.3.1)
【手続補正１】
【補正対象書類名】特許請求の範囲
【補正対象項目名】全文
【補正方法】変更
【補正の内容】
【特許請求の範囲】
【請求項１】
第１放送装置と、第２放送装置とを含む放送システムであって、
前記第１放送装置は、コンテンツストリームデータ及び付属データを含む番組を放送し、また、前記第２放送装置に当該番組を供給し、当該付属データには、当該付属データを前記コンテンツストリームデータと同期して再生させるためのタイミングを示す情報が含まれており、
前記第１放送装置は、
第１基準時刻との相対関係で現在の時刻を示す第１時刻値を逐次発生する第１時刻値発生手段と、
前記コンテンツストリームデータを符号化した第１符号化コンテンツストリームデータの各時点に、前記第１時刻値を逐次付加する第１時刻値付加手段と、
前記第１時刻値が付加された第１符号化コンテンツストリームデータの再生と同期して前記付属データを再生させるためのタイミングを１つの第１時刻値との相対関係でもって示す、付属データに含まれる第１同期情報を生成する第１同期情報生成手段と、
前記第１時刻値が付加された第１符号化コンテンツストリームデータと、前記付属データとをデジタル放送する第１放送手段とを備え、
前記第２放送装置は、
第２基準時刻との相対関係で現在の時刻を示す第２時刻値を逐次発生する第２時刻値発生手段と、
前記第１放送装置から供給されたコンテンツストリームデータを符号化した第２符号化コンテンツストリームデータの各時点に、前記第２時刻値を逐次付加する第２時刻値付加手段と、
前記第１放送装置から供給された付属データに含まれる第１同期情報が示す符号化コンテンツストリームデータとの同期タイミングに相当する、各第２時刻値が付加された第２符号化コンテンツストリームデータと同期して前記付属データを再生させるためのタイミングを示す第２同期情報を生成する第２同期情報生成手段と、
前記第１同期情報に代えて、生成された第２同期情報に差し替えられた付属データと、前記第２時刻値が付加された第２符号化コンテンツストリームデータとをデジタル放送する第２放送手段とを備える。
【請求項２】
請求項１の放送システムであって、
前記各第１同期情報には、１つの第１時刻値が含まれ、
前記第２放送装置は、更に、
前記第１基準時刻と前記第２基準時刻との時間差分を示す差分値を予め記憶している差分値記憶手段を備え、
前記第２同期情報生成手段は、前記差分値と、前記第１放送装置から供給された付属データに含まれる第１同期情報の第１時刻値とに基づいて第２同期情報を生成する。
【請求項３】
請求項１の放送システムであって、
前記付属データはストリームデータであり、
前記第１時刻値付加手段は、更に、前記第１時刻値発生手段により逐次発生される各第１時刻値を、付属データのストリームの各時点に逐次付加し、
前記第２放送装置は、更に、
前記第１放送装置から供給された付属データのストリームに含まれる１つの第１時刻値を検出する第１時刻値検出手段と、
検出された１つの第１時刻値と、当該第１時刻値を検出した時に前記第２時刻値発生手段により発生された１つの第２時刻値との差分を算出し、算出した値を差分値として記憶する差分値記憶手段とを備え、
前記第２同期情報生成手段は、記憶した差分値と、前記第１放送装置から供給された付属データに付加された第１時刻値とに基づいて第２同期情報を生成する。
【請求項４】
請求項１の放送システムであって、
前記第１同期情報には、第１時刻値が含まれ、
第１放送装置は、更に、
前記第１時刻値発生手段により発生される第１時刻値を前記第２放送装置に伝送する第１時刻値伝送手段を備え、
第２放送装置は、更に、
前記第１時刻値伝送手段により伝送された１つの第１時刻値と、当該第１時刻値を受け付けた時に前記第２時刻値発生手段により発生された１つの第２時刻値との差分を算出し、算出した値を差分値として記憶する差分値記憶手段と、
前記第２同期情報生成手段は、記憶した差分値と、前記第１放送装置から供給された付属データに含まれる第１同期情報の第１時刻値とに基づいて第２同期情報を生成する。
【請求項５】
請求項１の放送システムであって、
前記第１同期情報には、前記第１基準時刻に基づく番組開始時刻を示す番組開始情報が含まれており、
前記第２放送装置は、更に、
番組開始時刻の所定時間前に、番組開始時刻の所定時間前であることを示す番組開始トリガを第２放送装置に通知する番組開始トリガ通知手段と、
番組開始トリガが通知された時に前記第２時刻値発生手段により発生された１つの第２時刻値を取得し、取得された第２時刻値から前記所定時間後の時刻を示す値を算出し、算出した値を番組開始時刻値として記憶する番組開始時刻値記憶手段を備え、
前記第２同期情報生成手段は、供給された付属データから検出した前記第１同期情報に番組開始情報が含まれる場合、前記番組開始時刻値に基づいて第２同期情報を生成し、
前記第２放送手段は、前記番組開始情報が含まれる第１同期情報に代えて、生成された第２同期情報に差し替えられた付属データと、前記第２時刻値が付加された第２符号化コンテンツストリームデータとをデジタル放送する。
【請求項６】
請求項１の放送システムであって、
前記第１同期情報には、前記第１基準時刻に基づく番組開始時刻を示す番組開始情報が含まれており、
前記放送システムは更に、
番組開始時刻の所定時間前に、番組開始時刻の所定時間前であることを示す番組開始トリガを第２放送装置に通知する番組開始トリガ通知手段を備え、
前記第２放送装置は、更に、
番組開始トリガが通知された時に前記第２時刻値発生手段により発生された１つの第２時刻値を取得し、取得された第２時刻値から前記所定時間後の時刻を示す値を算出し、算出した値を番組開始時刻値として記憶する番組開始時刻値記憶手段を備え、
前記第２同期情報生成手段は、供給された付属データから検出した前記第１同期情報に番組開始情報が含まれる場合、前記番組開始時刻値に基づいて第２同期情報を生成し、
前記第２放送手段は、前記番組開始情報が含まれる第１同期情報に代えて、生成された第２同期情報に差し替えられた付属データと、前記第２時刻値が付加された第２符号化コンテンツストリームデータとをデジタル放送する。
【請求項７】
請求項１の放送システムであって、
前記コンテンツストリームデータと前記付属データは、それぞれ異なる回線を介して前記第１放送装置から前記第２放送装置に伝送され、
前記第１同期情報には、前記第１時刻値発生手段により発生された１つの第１時刻値が含まれており、
前記第１放送装置は、更に、
前記第１時刻値発生手段により発生される第１時刻値を前記第２放送装置に伝送する第１時刻値伝送手段を備え、
前記第２放送装置は、更に、
前記第１放送装置から前記第２放送装置へのコンテンツストリームデータの伝送に費やされる伝送遅延時間を示す伝送遅延値を予め記憶している伝送遅延値記憶手段を備え、
前記第２同期情報生成手段は、記憶している伝送遅延値と、前記第１放送装置から供給された付属データに含まれる第１同期情報の第１時刻値とに基づいて第２同期情報を生成する。
【請求項８】
請求項１の放送システムであって、
前記コンテンツストリームデータと前記付属データは、それぞれ異なる回線を介して前記第１放送装置から前記第２放送装置に伝送され、
前記第１同期情報には、前記第１時刻値発生手段により発生された１つの第１時刻値が含まれており、
前記第１放送装置は、更に、
前記第１時刻値発生手段により発生される第１時刻値を前記第２放送装置に伝送する第１時刻値伝送手段を備え、
前記第２放送装置は、更に、
前記第１放送装置から前記第２放送装置への第１時刻値の伝送に費やされる伝送遅延時間を示す第１伝送遅延値を記憶している第１伝送遅延値記憶手段と、
前記第１放送装置から前記第２放送装置へのコンテンツストリームデータの伝送に費やされる伝送遅延時間を示す第２伝送遅延値を記憶している第２伝送遅延値記憶手段とを備え、
前記第２同期情報生成手段は、記憶している第１伝送遅延値及び第２伝送遅延値と、前記第１放送装置から供給された付属データに含まれる第１同期情報の第１時刻値とに基づいて第２同期情報を生成する。
【請求項９】
請求項１の放送システムであって、
前記第１同期情報には、前記第１時刻値発生手段により発生された１つの第１時刻値と、前記第１時刻値発生手段により発生された１つの第１時刻値との相対関係で示される相対時刻値と、第１時刻値に対する相対時刻値の増加率を示す増加率値が含まれ、前記第１時刻値と前記第２時刻値は共に所定上限値までのカウント値であるため、所定上限値を超えると０に戻る値であり、
前記第１放送装置は、更に、
前記第１時刻値発生手段により発生される第１時刻値を前記第２放送装置に伝送する第１時刻値伝送手段を備え、
前記第２放送装置は、更に、
前記第１放送装置から伝送された１つの第１時刻値と、当該第１時刻値を受け付けた時に前記第２時刻値発生手段により発生された１つの第２時刻値とを比較する時刻値比較手段と、
比較した結果、前記第２時刻値発生手段により発生された１つの第２時刻値の方が大きい場合に、当該第２時刻値から前記所定上限値になるまでの時間を算出する時間算出手段と、
算出された時間を計時する計時手段と、
前記計時手段により、前記所定上限値になるまでの時間が計時された場合に、前記第１放送装置から供給された付属データに含まれる第１同期情報が示す符号化コンテンツストリームデータとの同期タイミングに相当するように、各第２時刻値が付加された符号化コンテンツストリームデータの再生と同期して前記付属データを再生させるためのタイミングを示す第３同期情報を生成する第３同期情報生成手段とを備え、
前記第２放送手段は、生成された第３同期情報が追加された付属データと、前記第２時刻値が付加された第２符号化コンテンツストリームデータとをデジタル放送する。
【請求項１０】
請求項１の放送システムであって、
第１放送装置及び第２放送装置は、コンテンツストリームデータを符号化するエンコーダを有し、
前記第１同期情報には、前記第１時刻値発生手段により発生された１つの第１時刻値が含まれており、
前記第１放送装置は、更に、
第１放送装置に備わるエンコーダにおいて、コンテンツストリームデータのエンコーディングに費やされるエンコード遅延時間を示す第１エンコード遅延値を予め記憶している第１エンコード遅延値記憶手段と、
前記第１同期情報生成手段により生成された第１同期情報の第１時刻値と、前記第１エンコード遅延値とを加算した結果値に基づいて、第３同期情報を生成する第３同期情報生成手段とを備え、
前記第１放送手段は、前記第１時刻値が付加された符号化コンテンツストリームデータと、前記第３同期情報が含まれる付属データとをデジタル放送し、
前記第２放送装置は、更に、
第２放送装置に備わるエンコーダにおいて、コンテンツストリームデータのエンコーディングに費やされるエンコード遅延時間を示す第２エンコード遅延値を予め記憶している第２エンコード遅延値記憶手段と、
前記第１基準時刻と前記第２基準時刻との時間差分を示す差分値を予め記憶している差分値記憶手段とを備え、
前記第２同期情報生成手段は、前記差分値と、前記第２エンコード遅延値と、前記第１放送装置から供給された付属データに含まれる第１同期情報の第１時刻値とに基づいて第２同期情報を生成する。
【請求項１１】
外部装置から供給された番組をデジタル放送する放送装置であって、当該番組には、符号化されたコンテンツストリームデータと付属データとが含まれ、当該付属データには、当該付属データを前記コンテンツストリームデータと同期して再生させるためのタイミングを示す情報が含まれており、
前記外部装置において、第１基準時刻との相対関係で現在の時刻を示す各第１時刻値が各時点に付加され、符号化された第１コンテンツストリームデータに、前記付属データを同期して再生させるためのタイミングを第１基準時刻との相対関係でもって示す第１同期情報を、供給された付属データから検出する検出手段と、
第２基準時刻との相対関係で現在の時刻を示す第２時刻値を逐次発生する時刻値発生手段と、
供給されたコンテンツストリームデータを符号化した第２符号化コンテンツストリームデータの各時点に、前記第２時刻値を逐次付加する時刻値付加手段と、
検出された第１同期情報によって示されるタイミングに相当する、各第２時刻値が付加された第２符号化コンテンツストリームデータと同期して前記付属データを再生させるためのタイミングを示す第２同期情報を生成する同期情報生成手段と、
前記第１同期情報に代えて、生成された第２同期情報に差し替えられた付属データと、前記第２時刻値が付加された第２符号化コンテンツストリームデータとをデジタル放送する放送手段とを備える。
【請求項１２】
同期情報差替装置であって、
外部装置において、第１基準時刻との相対関係で現在の時刻を示す各第１時刻値が各時点に付加された、第１符号化コンテンツストリームデータの再生と同期して付属データを再生させるためのタイミングを示す第１同期情報を含む付属データを受け付ける受付手段と、
前記第１同期情報を、受け付けた付属データから検出する検出手段と、
検出された第１同期情報によって示されるタイミングに相当する、第２時刻値が付加された第２符号化コンテンツストリームデータと同期して前記付属データを再生させるためのタイミングを示す第２同期情報を生成する同期情報生成手段と、
検出された第１同期情報に代えて、生成された第２同期情報に差し替えられた付属データを出力する出力手段とを備える。
【請求項１３】
同期情報差替方法であって、
外部装置において、第１基準時刻との相対関係で現在の時刻を示す各第１時刻値が各時点に付加された、第１符号化コンテンツストリームデータの再生と同期して付属データを再生させるためのタイミングを示す第１同期情報を含む付属データを受け付ける受付ステップと、
前記第１同期情報を、受け付けた付属データから検出する検出ステップと、
前記第１同期情報を、受け付けた付属データから検出する検出手段と、
検出された第１同期情報によって示されるタイミングに相当する、第２時刻値が付加された第２符号化コンテンツストリームデータと同期して前記付属データを再生させるためのタイミングを示す第２同期情報を生成する同期情報生成ステップと、
検出された第１同期情報に代えて、生成された第２同期情報に差し替えられた付属データを出力する出力ステップとを含む。
【請求項１４】
コンピュータに同期情報差替処理を実行させるためのプログラムであって、
前記同期情報差替処理は、
外部装置において、第１基準時刻との相対関係で現在の時刻を示す各第１時刻値が各時点に付加された、第１符号化コンテンツストリームデータの再生と同期して付属データを再生させるためのタイミングを示す第１同期情報を含む付属データを受け付ける受付ステップと、
前記第１同期情報を、受け付けた付属データから検出する検出ステップと、
前記第１同期情報を、受け付けた付属データから検出する検出手段と、
検出された第１同期情報によって示されるタイミングに相当する、第２時刻値が付加された第２符号化コンテンツストリームデータと同期して前記付属データを再生させるためのタイミングを示す第２同期情報を生成する同期情報生成ステップと、
検出された第１同期情報に代えて、生成された第２同期情報に差し替えられた付属データを出力する出力ステップとを含む。
【請求項１５】
コンピュータに同期情報差替処理を実行させるためのプログラムを記録した記録媒体であって、
外部装置において、第１基準時刻との相対関係で現在の時刻を示す各第１時刻値が各時点に付加された、第１符号化コンテンツストリームデータの再生と同期して付属データを再生させるためのタイミングを示す第１同期情報を含む付属データを受け付ける受付ステップと、
前記第１同期情報を、受け付けた付属データから検出する検出ステップと、
前記第１同期情報を、受け付けた付属データから検出する検出手段と、
検出された第１同期情報によって示されるタイミングに相当する、第２時刻値が付加された第２符号化コンテンツストリームデータと同期して前記付属データを再生させるためのタイミングを示す第２同期情報を生成する同期情報生成ステップと、
検出された第１同期情報に代えて、生成された第２同期情報に差し替えられた付属データを出力する出力ステップとを含む。
【手続補正２】
【補正対象書類名】明細書
【補正対象項目名】００１４
【補正方法】変更
【補正の内容】
【００１４】
また、上記放送システムでは、前記付属データはストリームデータであるとしてもよく、前記第１時刻値付加手段は、更に、前記第１時刻値発生手段により逐次発生される各第１時刻値を、付属データのストリームの各時点に逐次付加し、前記第２放送装置は、更に、前記第１放送装置から供給された付属データのストリームに含まれる１つの第１時刻値を検出する第１時刻値検出手段と、検出された１つの第１時刻値と、当該第１時刻値を検出した時に前記第２時刻値発生手段により発生された１つの第２時刻値との差分を算出し、算出した値を差分値として記憶する差分値記憶手段とを備え、前記第２同期情報生成手段は、記憶した差分値と、前記第１放送装置から供給された付属データに付加された第１時刻値とに基づいて第２同期情報を生成するとしてもよい。
【手続補正３】
【補正対象書類名】明細書
【補正対象項目名】００１５
【補正方法】変更
【補正の内容】
【００１５】
上記構成により、第１放送装置がキー局に備えられ、第２放送装置がローカル局に備えられている場合に、第１時刻値が検出された時に、第２時刻値発生手段によって発生された第２時刻値と当該第１時刻値との差分を算出し、キー局から供給された付属データに付加されている第１時刻値と、ローカル局の第２時刻値発生手段により発生された１つの第２時刻値との差分を算出し、当該差分を用いて第２同期情報を作成するので、ローカル局から放送された番組を再生する受信機は、付属データを映像データと同期させて再生することによって、正しく番組を再生することができる。
【手続補正４】
【補正対象書類名】明細書
【補正対象項目名】００１６
【補正方法】変更
【補正の内容】
【００１６】
また、上記放送システムでは、前記第１同期情報には、第１時刻値が含まれていてもよく、第１放送装置は、更に、前記第１時刻値発生手段により発生される第１時刻値を前記第２放送装置に伝送する第１時刻値伝送手段を備え、第２放送装置は、更に、前記第１時刻値伝送手段により伝送された１つの第１時刻値と、当該第１時刻値を受け付けた時に前記第２時刻値発生手段により発生された１つの第２時刻値との差分を算出し、算出した値を差分値として記憶する差分値記憶手段と、前記第２同期情報生成手段は、記憶した差分値と、前記第１放送装置から供給された付属データに含まれる第１同期情報の第１時刻値とに基づいて第２同期情報を生成するとしてもよい。
【手続補正５】
【補正対象書類名】明細書
【補正対象項目名】００１７
【補正方法】変更
【補正の内容】
【００１７】
上記構成により、第１放送装置がキー局に備えられ、第２放送装置がローカル局に備えられている場合に、キー局の第１時刻値伝送手段により伝送される第１時刻値と、ローカル局の第２時刻値発生手段により発生された１つの第２時刻値との差分を算出し、当該差分を用いて第２同期情報を作成するので、ローカル局から放送された番組を再生する受信機は、付属データを映像データと同期させて再生することによって、正しく番組を再生することができる。